(57)【要約】【課題】強固な接続性を有し、さらに容易に、かつ安全に取り付けおよび取り外しが可能なアクセサリ用クラスプを提供する。【解決手段】接続端（４０，５０）を有し、かつ相互に連結および分離可能な第１のケース部材（２０）と第２のケース部材（３０）とを有するクラスプ（１０）において、前記第１および第２のケース部材の対向する面にそれぞれ設けられ、磁力で一方が他方を、または相互に引き付ける一対の磁気結合手段（２３０，３６０）と、前記第１および第２のケース部材の対向する面にそれぞれ設けられ、前記一対の磁気結合手段の表面が接触したときに該一対の磁気結合手段の接触面同士のスライドを規制するスライド規制手段（２２０，２４０，３５０）と、前記第１および第２のケース部材の何れかまたは双方に形成されたスリット（７０）を用いて前記接触している一対の磁気結合手段を引き離す接触解除手段と、を備える。【選択図】図２
2010279551.tif 000002
【特許請求の範囲】
【請求項１】
アクセサリに接続するための接続端をそれぞれ有し、相互に連結および分離可能な第１のケース部材と第２のケース部材とを有するクラスプにおいて、
前記第１および第２のケース部材の対向する面にそれぞれ設けられ、磁力で一方が他方を、または相互に引き付ける一対の磁気結合手段であって、前記接続端同士を結ぶ軸と、前記一対の磁気結合手段が配列された軸とが略垂直の位置関係となる、一対の磁気結合手段と、
前記第１および第２のケース部材の対向する面にそれぞれ設けられ、前記一対の磁気結合手段の表面が接触したときに該一対の磁気結合手段の接触面同士のスライドを規制するスライド規制手段と、
前記第１および第２のケース部材の何れかまたは双方に形成されたスリットを用いて前記接触している一対の磁気結合手段を引き離す接触解除手段と、
を備えることを特徴とするクラスプ。
【請求項２】
前記一対の磁気結合手段は、相互に異なる磁極を有するマグネットであって、
前記第１および第２のケース部材の対向する面にそれぞれ設けられ、前記一対の磁気結合手段にそれぞれ隣接し、かつ異なる磁極を有する一対の磁気結合手段をさらに備えることを特徴とする請求項１に記載のクラスプ。
【請求項３】
請求項１または２に記載のクラスプを備えたアクセサリ。
【発明の詳細な説明】
【技術分野】
【０００１】
本発明はクラスプに関し、より詳細には、ネックレス、ブレスレット等のアクセサリに適用されるクラスプに関する。
【背景技術】
【０００２】
ネックレス、ブレスレット等のアクセサリに使用されるクラスプ（連結具）の代表的な例としては、フックタイプ、差し込みタイプなどが挙げられる。しかし、これらのタイプは、アクセサリ装着時にクラスプの接続部分を目視で位置合わせる必要があり、より簡単に装着が行える構造を有するクラスプが望まれていた。
【０００３】
そのため、特許文献１に示すようなマグネットを使用したアクセサリ用クラスプが提案されている。このクラスプは、一対のケースからなる接続部分にそれぞれ異なる極のマグネットが設けている。このクラスプを設けたアクセサリを装着するには、当該クラスプの接続部を近接させればよい。近接させるとマグネットの磁力作用により、双方の接続部が連結し、その結果アクセサリが装着される。したがって、上述のような面倒な位置合わせ等は必要ない。また、アクセサリを取り外す場合には、クラスプに（特許文献の）図１または図２に記載のＦ１方向に力を加えればよい。
【０００４】
以上の構造のクラスプをネックレス等のアクセサリに適用することにより、装着および脱着が容易なアクセサリを提供することが可能となる。
【先行技術文献】
【特許文献】
【０００５】
【特許文献１】特開２００６−２６００３（図１および図２）
【発明の概要】
【発明が解決しようとする課題】
【０００６】
しかしながら、上記の構造を有するクラスプには以下に示すような不都合がある。
クラスプの接続がマグネットの磁力のみで行われているため、マグネットの磁力が劣化した場合に、そのクラスプは容易に外れてしまう。
【０００７】
また、マグネットの磁力が作用する方向と、クラスプが外れる方向（図１または図２のＦ１方向）と、が同一線上にあるため、アクセサリが過度の力で引っ張られた場合にクラスプが分離して、アクセサリが外れる恐れがある。
【０００８】
さらに、アクサセリを取り外すために、クラスプに図１または図２のＦ１方向に力を加える場合、通常、クラスプ部分ではなく、アクセサリ部分を把持して引っ張る。そのため、アクセサリに糸部分に負荷がかかり、切断してしまう可能性がある。
【０００９】
本発明は上述の不都合を斟酌して創案されたものであり、本発明の目的は、強固な接続性を有し、さらに容易に、かつ安全に取り付けおよび取り外しが可能なクラスプを提供することである。
【課題を解決するための手段】
【００１０】
前記課題を解決するために創案された請求項１の発明は、アクセサリに接続するための接続端をそれぞれ有し、相互に連結および分離可能な第１のケース部材と第２のケース部材とを有するクラスプにおいて、前記第１および第２のケース部材の対向する面にそれぞれ設けられ、磁力で一方が他方を、または相互に引き付ける一対の磁気結合手段であって、前記接続端同士を結ぶ軸と、前記一対の磁気結合手段が配列された軸とが略垂直の位置関係となる、一対の磁気結合手段と、前記第１および第２のケース部材の対向する面にそれぞれ設けられ、前記一対の磁気結合手段の表面が接触したときに該一対の磁気結合手段の接触面同士のスライドを規制するスライド規制手段と、前記第１および第２のケース部材の何れかまたは双方に形成されたスリットを用いて前記接触している一対の磁気結合手段を引き離す接触解除手段と、を備えることを特徴とする。
【００１１】
前記課題を解決するために創案された請求項２の発明は、請求項１に記載のクラスプにおいて、前記一対の磁気結合手段は、相互に異なる磁極を有するマグネットであって、前記第１および第２のケース部材の対向する面にそれぞれ設けられ、前記一対の磁気結合手段にそれぞれ隣接し、かつ異なる磁極を有する一対の磁気結合手段をさらに備えることを特徴とする。
【００１２】
前記課題を解決するために創案された請求項３の発明は、請求項１または２に記載のクラスプを備えたアクセサリである。
【００１３】
請求項１のクラスプの第１のケース部材と第２のケース部材とを連結させるには、ユーザが双方のケース部材を相互に近接させればよい。それにより、一対の磁気結合手段の間に磁力が作用して双方のケース部材は引き付けられ、そして連結される。したがって、双方のケース部材を精密に位置合わせする必要がなく、容易に連結することができる。
【００１４】
また、本発明のクラスプをネックレスやブレスレット等のアクセサリに適用した場合に、通常、双方の接続端に引っ張り力が作用する。しかし、本発明のクラスプでは、第１および第２のケース部材を磁力で連結している一対の磁気結合手段が、該引っ張り力が作用する方向に対して、すなわち、双方の接続端を結んだ軸に対して略垂直に配置されており、さらに、スライド規制手段が一対の磁気結合手段の接触面同士のスライドを規制しているため、この引っ張り力により第１および第２のケースが分離してしまう可能性は低い。
【００１５】
さらに、第１のケース部材と第２のケース部材とを分離させる際には、接触解除手段を用いて一対の磁気結合手段を引き離せばよい。これにより、一対の磁気結合手段の間で作用する磁力が減衰するため、ユーザが容易に双方のケース部材を分離させることができる。
【００１６】
請求項２の発明のクラスプでは、二対の磁気結合手段を用いて第１および第２のケース部材同士を連結する。このように、単一の大きな磁気結合手段を使用するよりも、複数の小さな磁気結合手段を使用した方が、より少ない総体積の磁気結合手段で第１および第２のケース部材同士を確実に連結することができる。
【００１７】
請求項３の発明では、本発明のクラスプをアクセサリの形態で提供することができる。
【発明の効果】
【００１８】
本発明によって、強固な接続性を有し、さらに容易に、かつ安全に取り付けおよび取り外しが可能なクラスプを提供することができる。
【図面の簡単な説明】
【００１９】
【図１】本発明の第１の実施形態に係るクラスプの外形図であって、（ａ）は斜視図であり、（ｂ）は長手側側面図である。
【図２】本発明の第１の実施形態に係るクラスプの構造を説明するための図であって、（ａ）は第１のケースをその接続面から見た図であり、（ｂ）は第２のケースをその接続面から見た図である。
【図３】本発明の第１の実施形態に係るクラスプの接続および取り外しを説明するための長手側側面の断面図であて、（ａ）は第１のケースを第２のケースに取り付ける前の状態であり、（ｂ）は第１のケースが第２のケースに取り付けられた状態であり、（ｃ）は第１のケースを第２のケースから取り外す前の状態である。
【図４】本発明の第２の実施形態に係るクラスプの構造を説明するための図であって、（ａ）は長手側側面図であり、（ｂ）第１のケースをその接続面から見た図であり、（ｃ）は第２のケースをその接続面から見た図である。
【図５】本発明の第３の実施形態に係るクラスプの構造を説明するための図であって、（ａ）は長手側側面図であり、（ｂ）第１のケースをその接続面から見た図であり、（ｃ）は第２のケースをその接続面から見た図である。
【図６】本発明の第４の実施形態に係るクラスプの構造を説明するための図であって、（ａ）は長手側側面図であり、（ｂ）第１のケースをその接続面から見た図であり、（ｃ）は第２のケースをその接続面から見た図である。
【発明を実施するための形態】
【００２０】
［第１の実施形態］
図１ないし図３の添付図面を参照して、本発明の第１の実施形態に係るクラスプの構造を以下に詳細に説明する。
【００２１】
図１は、本発明の第１の実施形態に係るクラスプ１０の外部形状を示しており、（ａ）はクラスプ１０の斜視図であり、（ｂ）は長手側側面図である。図示のクラスプ１０は、大別すると、第１のケース２０と、第２のケース３０とから構成される。当該第１および第２のケース２０，３０は、詳細は後述するが、磁力によって連結しており、ユーザが容易に取り外すことが可能である。また、第１のケース２０の一端には第１の接続端４０が、さらに第２のケース３０の端面には第２の接続端５０が設けられており、これらの接続端には、クラスプ１０が適用されるネックレス、ブレスレット等のアクセサリが接続される。
【００２２】
第２のケース３０は、主に第１の部材３１０と、第２の部材３２０と、第３の部材３３０と、から構成され、これらの部材は支軸６０で相互に連結されている。第１の部材３１０と第２の部材３２０とはスリット７０を画定しており、このスリット内に第２の接続端５０を有する第３の部材３３０が設けられている。このスリットのために、第１の部材３１０と第２の部材３２０とは支軸６０を中心に相互にピボット動作が可能である。
【００２３】
図２は、クラスプ１０の内部構造を示す図であり、（ａ）は第１のケース２０の第２のケース３０と接触する第１の接続面２１０から見た内部構造を示し、（ｂ）は第２のケース３０の第１のケース２０に接触する第２の接続面３４０から見た構造を示している。
図２（ａ）に示すように、第１のケース２０には第１の平坦部２２０が形成されており、その平坦部の略中心に円柱状の第１のマグネット２３０が配置されている。このマグネットは、第１の平坦部２２０と同一平面を形成している。第１のマグネット２３０の周囲には、第１の平坦部２２０から所定長Ｌ１だけ伸長した突出部２４０が形成されている。
【００２４】
図２（ｂ）に示すように、第２のケース３０には第２の平坦部３５０が形成されており、その略中心に円柱状の第２のマグネット３６０が配置されている。このマグネットは、第２の平坦部３５０と同一平面を形成している。第１の部材３１０は、第２の平坦部３５０よりも所定長Ｌ２だけ奥に入り込んでいる。ここで、上述の突出部２４０の伸長量Ｌ１と第１の部材３１０の入り込んだ量Ｌ２の関係は、Ｌ２≒Ｌ１となる。
【００２５】
第１のマグネット２３０の表面と第２のマグネット３６０の表面とはお互いに引き付け合うために相互に異なる磁極を有する必要がある。
【００２６】
図３は、クラスプ１０の長手側側面の断面を示しており、この図を参照して、クラスプ１０の取り付けおよび取り外しの態様を説明する。
まず、図３（ａ）に示すように、クラスプ１０のユーザが指でクラスプ１０の第１のケース２０と第２のケース３０とを掴み、双方を近接させる。その結果、第１のマグネット２３０と、第２のマグネット３６０とが磁力作用により引き付け合って、図３（ｂ）に示すように相互に連結される。
【００２７】
図３（ｂ）は、クラスプ１０の第１のケース２０と第２のケース３０とが相互に連結された状態を示しており、これはクラスプ１０が実際に使用される状態に相当する。このとき、第１のマグネット２３０の表面と、第２のマグネット３６０の表面とが接触しており、さらに、第１のケース２０の突出部２４０が第２のケースの第２の平坦部３５０の周辺を覆うように配置されている。
【００２８】
図３（ｃ）は、クラスプ１０の第１のケース２０を第２のケース３０から取り外すときの態様を示している。まず、ユーザは第２のケース３０のエッジ部分を矢印の方向に指で押圧する。それにより、第１のケース２０の第１および第２の部材３１０、３２０が支軸６０を中心にピボット動作を行う。その結果、相互に接触していた第１および第２のマグネット２３０、３６０の表面が分離する。この状態で、ユーザが第１のケース２０を引っ張ることにより、当該第１のケース２０を第２のケース３０から簡単に取り外すことができる。
【００２９】
以上の構造のクラスプ１０は、以下のような有利点を有する。
（１）第１のケース２０を第２のケース３０に取り付ける場合に、図３（ａ）に示すように第１のケース２０を第２のケース３０に近接させればよい。それにより、第１のマグネット２３０と第２のマグネット３６０との間に磁力が作用し、双方のケースは互いに引き付けられ、そして接続される。したがって、双方のケースを精密に位置合わせする必要がなく、容易に連結することができる。
（２）通常、クラスプ１０をネックレスやブレスレット等のアクセサリに適用した場合に、図２（ｂ）に示すような引っ張り力がクラスプ１０に作用する。しかし、本実施形態のクラスプ１０では、双方のケースを磁力で接続する第１および第２のマグネット２３０、３６０と、引っ張り力が作用する方向、すなわち、第１および第２の接続端４０、５０を結んだ線と、が略垂直に配置されており、さらに、第１のケース２０の突出部２４０が第２のケースの第２の平坦部３５０の周辺を覆っているため、第１および第２のマグネット２３０、３６０の表面のスライド移動が規制される。したがって、この引っ張り力により第１および第２のケース２０、３０が分離してしまう可能性は低い。
（３）第１のケース２０を第２のケース３０から取り外す際には、第１のケース２０に図３（ｃ）に示す方向の力を加えればよい。これにより、第１および第２のマグネット２３０、３６０の表面が離れ、双方の間に作用する磁力が減衰する。したがって、この状態でユーザが第１のケース２０を第２のケース３０から引っ張れば、容易に取り外すことができる。
【００３０】
以上に渡り、本発明の第１の実施形態に係るクラスプ１０の構造を説明したが、本発明は本実施形態の内容に限定されるものではない。例えば、本実施形態では、第１および第２のマグネット２３０、３６０、第１および第２の平坦部２２０、３５０、突出部２４０は円形であるが、本発明はこれに限定されるものではなく、例えば楕円形、多角形などの任意の形状でよい。さらに、第１のケース２０に突出部２４０が設けられているが、本発明はこれに限定されるものではなく、第２のケース３０に突出部を設けてもよい。
【００３１】
さらに、本実施形態では、第１のケース２０と第２のケース３０とを連結させるために、相互に異なる磁極を有する第１のマグネット２３０および第２のマグネット３６０を使用しているが、本発明はこの構成に限定されるものではない。代替え的に、第１のマグネット２３０および第２のマグネット３６０の何れかが鉄等の強磁性体であってもよい。強磁性体はマグネットに引き付けられるため、この場合も第１のケース２０と第２のケース３０とは良好に連結される。
【００３２】
また、クラスプ１０を構成する各部材の材料は特に限定されるものではなく、各種マグネット、金属、樹脂等の任意の材料を用いてよい。同様に、各部材の製法も削り、張り合わせ、エッチング、金型やプレス機を用いたモールド加工等、任意の加工手法を用いてよい。
【００３３】
［第２の実施形態］
図４を参照して、本発明の第２の実施形態に係るクラスプ１０００について説明する。なお、第１の実施形態のクラスプ１０と同一の部材には、同一の参照番号を付与している。
図４（ａ）は、本実施形態のクラスプ１０００の長手側側面図である。図示のように、クラスプ１０００は、主に第１のケース５００と第２のケース６００とから構成される。そして、双方のケースは接続部５５０で接続されている。
【００３４】
図４（ｂ）は、第１のケース５００を接続面５１０から見た図である。第１の平坦部２２０、第１のマグネット２３０、突出部２４０の構造については第１の実施形態のクラスプ１０と同様であるが、本実施形態の第１のケース５００には第１の接続部５５０ａが設けられている。この接続部は第１のケース５００の横手側に伸長する、断面が半円状の突出部で形成されている。
【００３５】
図４（ｃ）は、第２のケース６００を接続面６１０から見た図である。第２のマグネット３６０および第２の平坦部３５０の構造については第１の実施形態のクラスプ１０と同様であるが、本実施形態の第２のケース６００には、第２の接続部５５０ｂが設けられている。この接続部は、第２のケース６００の横手側に伸長する、断面が半円状の溝部で構成されており、この溝部の断面の半径は、上述の第１の接続部５５０ａの断面半径と略同一である。それゆえ、第１の接続部５５０ａと第２の接続部５５０ｂとは好適に係合する。
【００３６】
本実施形態のクラスプ１０００は、第１の実施形態のクラスプ１０と比べ、より簡単な構造で同一機能を実現している。このクラスプ１０００において、第１のケース５００を第２のケース６００から取り外す場合には、第１の実施形態のクラスプ１０と同様に、第１および第２のケース５００、６００のスリット７０周辺を押圧すればよい。これにより、第１および第２のケース５００、６００は、接続部５５０を中心にピボット動作をし、相互に接触していた第１および第２のマグネット２３０、３６０の表面が分離する。この状態で第１のケース５００を引っ張れば、容易に第２のケース６００から外れる。
【００３７】
［第３の実施形態］
図５を参照して、本発明の第３の実施形態に係るクラスプ２０００について説明する。なお、第１の実施形態のクラスプ１０と同一の部材には、同一の参照番号を付与している。
図５（ａ）は、本実施形態のクラスプ２０００の長手側側面図である。図示のように、クラスプ２０００は、主に第１のケース７００と第２のケース８００とから構成される。そして、双方のケースは接続部７５０で接続されている。このクラスプ２０００は、第２の実施形態のクラスプ１０００と接続部７５０の構造が異なる。したがって、以下、接続部７５０についてのみ説明する。
【００３８】
図５（ｂ）は、第１のケース７００を接続面７１０から見た図である。第１のケース７００を接続面７１０の端付近に第１の接続部７５０ａが設けられている。この接続部は、凸部で形成されている。
【００３９】
図５（ｃ）は、第２のケース８００を接続面８１０から見た図である。第２のケース８００を接続面８１０の第１の接続部７５０ａに対応する部分に、第２の接続部７５０ｂが設けられている。この接続部は、断面が円形の凹部で形成されている。この凹部の曲率は、第１の接続部５５０ａの曲率と略同一である。それゆえ、第１の接続部７５０ａと第２の接続部７５０ｂとは好適に係合する。
【００４０】
本実施形態のクラスプ２０００は、第２の実施形態のクラスプ１０００と同様に、第１の実施形態に係るクラスプ１０に比べより簡単な構造で、同一の機能を実現することができる。このクラスプ２０００において、第１のケース７００を第２のケース８００から取り外す場合には、第１および第２のケース７００、８００のスリット７０周辺を押圧すればよい。これにより、第１および第２のケース５００、６００は、それぞれ接続面とスリット７０を形成する面との間の角部を中心にピボット動作をし、相互に接触していた第１および第２のマグネット２３０、３６０の表面が分離する。この状態で第１のケース７００を引っ張れば、容易に第２のケース８００から外れる。
【００４１】
［第４の実施形態］
図６を参照して、本発明の第４の実施形態に係るクラスプ３０００について説明する。なお、第１の実施形態のクラスプ１０と同一の部材には、同一の参照番号を付与している。
図６（ａ）は、本実施形態のクラスプ３０００の長手側側面図である。
【００４２】
図６（ｂ）は、第１のケース９００を第１の接続面９１０から見た図である。図示のように、第１のケース９００の第１の接続面９１０には、第１のマグネットペア４０００ａ、４０００ｂと、第１の平坦部ペア４１００ａ、４１００ｂと、突出部ペア４２００ａ、４２００ｂと、が設けてある。
【００４３】
図６（ｃ）は、第２のケース９５０を第２の接続面９６０から見た図である。図示のように、第２のケース９５０の第２の接続面９６０には、第２のマグネットペア５０００ａ、５０００ｂと、第２の平坦部ペア５１００ａ、５１００ｂと、が設けてある。
【００４４】
このように、本実施形態のクラスプ３０００は、実施例１ないし３のクラスプとは異なり、第１および第２のケース９００、９５０がそれぞれ２つのマグネットを備えている。クラスプの外形が比較的大きい場合には、このように複数のマグネットを使用してよい。なお、本発明のクラスプのマグネットの数は特定の数に限定されず、任意の数のマグネットを備えてよい。
【００４５】
本実施形態のクラスプ３０００において、第１のケース９００の第１のマグネットペア４０００ａ、４０００ｂの表面は相互に異なる極性を有することが好ましい。例えば、マグネット４０００ａの表面がＳ極の場合、マグネット４０００ｂの表面はＮ極となる。この場合、当然ながら、第２のケース９５０の第２のマグネットペア５５００ａ、５５００ｂの表面の極性は、それぞれＮ極、Ｓ極となる。このように、マグネットペアの極性が異なれば、例えば、マグネット４０００ａと５０００ｂが相互に引き付けあって接続されるなどの不具合が回避できる。
【００４６】
以上、本発明を図面に示した実施形態を用いて説明したが、これらは例示的なものに過ぎず、本技術分野の当業者ならば、本発明の範囲および趣旨から逸脱しない範囲で多様な変更および変形が可能なことは理解できるであろう。したがって、本発明の範囲は、説明された実施形態によって定められず、特許請求の範囲に記載された技術的趣旨により定められねばならない。
【符号の説明】
【００４７】
１０，１０００，２０００，３０００  クラスプ
２０，５００，７００，９００  第１のケース
３０，６００，８００，９５０  第２のケース
４０    第１の接続端
５０    第２の接続端
６０    支軸
７０    スリット
２１０，５１０，９１０  第１の接続面
２２０  第１の平坦部
２３０  第１のマグネット
２４０  突出部
３１０  第１の部材
３２０  第２の部材
３３０  第３の部材
３４０，６１０，９６０  第２の接続面
３５０  第２の平坦部
３６０  第２のマグネット
５５０，７５０  接続部
５５０ａ，７５０ａ  第１の接続部
５５０ｂ，７５０ｂ  第２の接続部
４０００ａ，４０００ｂ  第１のマグネットペア
４１００ａ，４１００ｂ  第１の平坦部ペア
４２００ａ，４２００ｂ  突出部ペア
５０００ａ，５０００ｂ  第２のマグネットペア
５１００ａ，５１００ｂ  第２の平坦部ペア
【図１】
2010279551.tif 000003
【図２】
2010279551.tif 000004
【図３】
2010279551.tif 000005
【図４】
2010279551.tif 000006
【図５】
2010279551.tif 000007
【図６】
2010279551.tif 000008
【手続補正書】
【提出日】平成22年1月15日(2010.1.15)
【手続補正１】
【補正対象書類名】明細書
【補正対象項目名】００２８
【補正方法】変更
【補正の内容】
【００２８】
図３（ｃ）は、クラスプ１０の第１のケース２０を第２のケース３０から取り外すときの態様を示している。まず、ユーザは第２のケース３０のエッジ部分を矢印の方向に指で押圧する。それにより、第２のケース３０の第１および第２の部材３１０、３２０が支軸６０を中心にピボット動作を行う。その結果、相互に接触していた第１および第２のマグネット２３０、３６０の表面が分離する。この状態で、ユーザが第１のケース２０を引っ張ることにより、当該第１のケース２０を第２のケース３０から簡単に取り外すことができる。
【手続補正２】
【補正対象書類名】明細書
【補正対象項目名】００２９
【補正方法】変更
【補正の内容】
【００２９】
以上の構造のクラスプ１０は、以下のような有利点を有する。
（１）第１のケース２０を第２のケース３０に取り付ける場合に、図３（ａ）に示すように第１のケース２０を第２のケース３０に近接させればよい。それにより、第１のマグネット２３０と第２のマグネット３６０との間に磁力が作用し、双方のケースは互いに引き付けられ、そして接続される。したがって、双方のケースを精密に位置合わせする必要がなく、容易に連結することができる。
（２）通常、クラスプ１０をネックレスやブレスレット等のアクセサリに適用した場合に、図３（ｂ）に示すような引っ張り力がクラスプ１０に作用する。しかし、本実施形態のクラスプ１０では、双方のケースを磁力で接続する第１および第２のマグネット２３０、３６０と、引っ張り力が作用する方向、すなわち、第１および第２の接続端４０、５０を結んだ線と、が略垂直に配置されており、さらに、第１のケース２０の突出部２４０が第２のケースの第２の平坦部３５０の周辺を覆っているため、第１および第２のマグネット２３０、３６０の表面のスライド移動が規制される。したがって、この引っ張り力により第１および第２のケース２０、３０が分離してしまう可能性は低い。
（３）第１のケース２０を第２のケース３０から取り外す際には、第２のケース３０に図３（ｃ）に示す方向の力を加えればよい。これにより、第１および第２のマグネット２３０、３６０の表面が離れ、双方の間に作用する磁力が減衰する。したがって、この状態でユーザが第１のケース２０を第２のケース３０から引っ張れば、容易に取り外すことができる。
【手続補正３】
【補正対象書類名】明細書
【補正対象項目名】００３９
【補正方法】変更
【補正の内容】
【００３９】
図５（ｃ）は、第２のケース８００を接続面８１０から見た図である。第２のケース８００を接続面８１０の第１の接続部７５０ａに対応する部分に、第２の接続部７５０ｂが設けられている。この接続部は、断面が円形の凹部で形成されている。この凹部の曲率は、第１の接続部７５０ａの曲率と略同一である。それゆえ、第１の接続部７５０ａと第２の接続部７５０ｂとは好適に係合する。
【手続補正４】
【補正対象書類名】明細書
【補正対象項目名】００４０
【補正方法】変更
【補正の内容】
【００４０】
本実施形態のクラスプ２０００は、第２の実施形態のクラスプ１０００と同様に、第１の実施形態に係るクラスプ１０に比べより簡単な構造で、同一の機能を実現することができる。このクラスプ２０００において、第１のケース７００を第２のケース８００から取り外す場合には、第１および第２のケース７００、８００のスリット７０周辺を押圧すればよい。これにより、第１および第２のケース７００、８００は、それぞれ接続面とスリット７０を形成する面との間の角部を中心にピボット動作をし、相互に接触していた第１および第２のマグネット２３０、３６０の表面が分離する。この状態で第１のケース７００を引っ張れば、容易に第２のケース８００から外れる。
【手続補正５】
【補正対象書類名】明細書
【補正対象項目名】００４５
【補正方法】変更
【補正の内容】
【００４５】
本実施形態のクラスプ３０００において、第１のケース９００の第１のマグネットペア４０００ａ、４０００ｂの表面は相互に異なる極性を有することが好ましい。例えば、マグネット４０００ａの表面がＳ極の場合、マグネット４０００ｂの表面はＮ極となる。この場合、当然ながら、第２のケース９５０の第２のマグネットペア５０００ａ、５０００ｂの表面の極性は、それぞれＮ極、Ｓ極となる。このように、マグネットペアの極性が異なれば、例えば、マグネット４０００ａと５０００ｂが相互に引き付けあって接続されるなどの不具合が回避できる。